(57)【特許請求の範囲】
【請求項１】
冷却器が配されるとともに貯蔵室内の冷気を取り込んで前記冷却器と熱交換した冷気を前記貯蔵室に吐出する冷気ダクトと、
前記冷気ダクトに対して独立して前記貯蔵室の壁面に配されるとともに流入口及び流出口を有して前記冷却器を介さずに前記貯蔵室内の冷気を循環させる循環ダクトと、
前記貯蔵室を照明する光源を有して前記循環ダクトの前方に配されるとともに前面を光透過性のカバーにより覆われる照明室と、
前記流出口の下方で前記照明室と前記循環ダクトとを連通させる連通口と、
前記連通口の前記循環ダクト側の上方を覆って前記循環ダクトを上昇する冷気を前記連通口に導くとともに前記循環ダクトの壁面を流下する結露水を遮蔽する傘部と、
を備えたことを特徴とする冷蔵庫。
【請求項２】
前記傘部は山型に配される第１傾斜面及び第２傾斜面を有し、第１傾斜面及び第２傾斜面が前記連通口の外側に延びることを特徴とする請求項１に記載の冷蔵庫。
【請求項３】
前記連通口の左右方向の中心に対して一方の風量が他方よりも多く、該一方に配される第１傾斜面を第２傾斜面よりも長くしたことを特徴とする請求項２に記載の冷蔵庫。
【請求項４】
前記照明室の背壁から前方に延びる腕部と前記腕部の先端から屈曲する爪部とを有して前記光源を実装する実装基板を係止する係合爪を備え、
前記連通口の端縁が前記腕部の前記爪部側の端面に一致することを特徴する請求項１〜３のいずれかに記載の冷蔵庫。
【請求項５】
正面投影において前記光源と前記連通口とが重なることを特徴とする請求項１〜４のいずれかに記載の冷蔵庫。
【発明の詳細な説明】
【技術分野】
【０００１】
本発明は照明室を備えた冷蔵庫に関する。
【背景技術】
【０００２】
従来の冷蔵庫は特許文献１に開示されている。この冷蔵庫は冷蔵庫の外側の後壁に電装部品を密閉して収納する電装箱を設け、電装箱に電装部品を固定している。これにより、冷蔵庫の後壁からの水滴の侵入を防止している。また、貯蔵室の背壁などに照明装置を備えた冷蔵庫が知られている。この冷蔵庫は密閉した照明室内にＬＥＤ等の光源を有する照明装置が配される。これにより、貯蔵室内の照明を行うことができる。
【先行技術文献】
【特許文献】
【０００３】
【特許文献１】特開平０８−２２６７５７号公報
【発明の概要】
【発明が解決しようとする課題】
【０００４】
しかしながら、上記の照明装置を備えた冷蔵庫によると、照明室内が密閉されるため照明室内の温度が上昇し、光源の寿命が短くなり、冷蔵庫の信頼性が低下するという問題があった。
【０００５】
本発明は、信頼性を向上する冷蔵庫を提供することを目的とする。
【課題を解決するための手段】
【０００６】
上記目的を達成するために本発明は、貯蔵室の壁面に配されるとともに流入口及び流出口を有して前記貯蔵室内の冷気を循環させる循環ダクトと、前記貯蔵室を照明する光源を有して前記循環ダクトの前方に配される照明室と、前記流出口の下方で前記照明室と前記循環ダクトとを連通させる連通口と、前記連通口の前記循環ダクト側の上方を覆う傘部と、を備えたことを特徴とする。
【０００７】
この構成によると、循環ダクトを流通する冷気の冷熱は傘部で反射して流出口から照明室に流出される。また、循環ダクト側の上方で結露が発生しても傘部を介して水滴が滴下される。
【０００８】
また本発明は、前記傘部は山型に配される第１傾斜面及び第２傾斜面を有し、第１傾斜面及び第２傾斜面が前記連通口の外側に延びることを特徴とする。
【０００９】
また本発明は、前記連通口の左右方向の中心に対して一方の風量が他方よりも多く、該一方に配される第１傾斜面を第２傾斜面よりも長くしたことを特徴とする。
【００１０】
また本発明は、前記照明室の背壁から前方に延びる腕部と前記腕部の先端から屈曲する爪部とを有して前記光源を実装する実装基板を係止する係合爪を備え、前記連通口の端縁が前記腕部の前記爪部側の端面に一致することを特徴とする。
【００１１】
また本発明は、正面投影において前記光源と前記連通口とが重なることを特徴とする。
【発明の効果】
【００１２】
本発明によると、貯蔵室の壁面に配されるとともに流入口及び流出口を有して貯蔵室内の冷気を循環させる循環ダクトと、貯蔵室を照明する光源を有して循環ダクトの前方に配される照明室と、入出口の下方で照明室と循環ダクトとを連通させる連通口と、連通口の循環ダクト側の上方を覆う傘部と、を設けたので、照明室内の昇温を抑制するとともに、水滴の流入を防止し、信頼性を向上する冷蔵庫を提供できる。
【図面の簡単な説明】
【００１３】
【図１】本発明の実施形態の冷蔵庫を示す側面断面図
【図２】本発明の実施形態の冷蔵室を示す正面図
【図３】図２のＡ−Ａ断面図
【図４】図３の要部詳細図
【図５】本発明の実施形態の冷蔵室を示す背面図
【図６】本発明の実施形態の傘部を示す正面図
【発明を実施するための形態】
【００１４】
以下に本発明の実施形態を図面を参照して説明する。図１は本実施形態の冷蔵庫を示す側面断面図である。冷蔵庫１は本体部を形成する断熱箱体２を備え、断熱箱体２には上方から順に冷蔵室３、冷凍室４、野菜室５が設けられる。冷蔵室３と冷凍室４とは断熱壁６によって仕切られ、冷凍室４と野菜室５とは断熱壁７によって仕切られる。
【００１５】
冷蔵室３は貯蔵物を冷蔵保存し、前面の開口部３ａは回動式の扉３ｂにより開閉される。冷凍室４は貯蔵物を冷凍保存し、前面の開口部４ａは収納ケース８と一体に形成された引き出し式の扉４ｂにより開閉される。冷凍室４の側壁及び収納ケース８の側壁の外面には前後に延びて互いに摺動する案内部（不図示）が設けられる。案内部によって冷蔵収納ケース８が扉４ｂとともに前後に円滑に出し入れされる。又、冷凍室４に連通して隣接する製氷室（不図示）が設けられる。
【００１６】
野菜室５は貯蔵物を冷蔵室３よりも高温の冷蔵温度で冷蔵保存し、野菜や果物などを収納する。野菜室５の前面の開口部５ａは収納ケース１０と一体に形成された引き出し式の扉５ｂにより開閉される。野菜室５の側壁及び収納ケース１０の側壁の外側には前後に延びて互いに摺動する案内部（不図示）が設けられる。案内部によって収納ケース１０が扉５ｂとともに前後に円滑に出し入れされる。
【００１７】
野菜室５の後方には圧縮機（不図示）が配される。圧縮機には凝縮器、膨張器及び冷却器（いずれも不図示）が順に接続され、圧縮機の駆動によりイソブタン等の冷媒が循環して冷凍サイクルが構成される。
【００１８】
冷却器は冷凍室４の背面に配される冷凍室ダクト（不図示）内に配され、冷蔵室３の背面には冷凍室ダクトに連通する冷蔵室ダクト１３（図５参照）が設けられる。また、冷蔵室３と野菜室５とは連通ダクト（不図示）を介して連通する。冷却器との熱交換により生成される冷気は冷凍室ダクト及び冷蔵室ダクト１３を流通して冷蔵室３及び冷凍室４に吐出され、冷蔵室３及び冷凍室４を冷却する。冷凍室４を流通した冷気は冷却器に戻る。冷蔵室３を流通した冷気は連通ダクトを介して野菜室５に吐出され、野菜室５を冷却する。野菜室５を流通した冷気は冷却器に戻る。
【００１９】
図２は冷蔵室３を示す正面図であり、図３は図２のＡ−Ａ断面図である。冷蔵室３には載置棚１７、水タンク室１９、チルド室１６、温度調節部１５が設けられる。載置棚１７は貯蔵物を載置し、上下に３段設けられる。冷蔵室３の左側の下部には製氷用の水タンク１９ａを配した水タンク室１９が設けられる。チルド室１６は水タンク室１９の右側に設けられて冷蔵室３の上部に対してケースを用いて隔離される。チルド室１６内は冷蔵室３よりも低温に維持される。
【００２０】
水タンク室１９の上方には冷蔵室３の室内温度を調節する温度調節部１５が設けられる。温度調節部１５は制御回路を有し、ボリュームと一体の操作ツマミ１５ａの操作によって冷蔵室３を所望の温度に調節することができる。操作ツマミの周囲には「強」、「中」、「弱」等の文字等によって調節値を示す表示部が設けられる。操作ツマミ１５ａに設けた突起等が回転位置に応じて対応する文字を指し、冷蔵室３内の照明光の反射によって各調節値を視認できるようになっている。
【００２１】
冷蔵室３の中央上部には冷蔵室３内の冷気を循環させる循環ダクト２２が配される。循環ダクト２２の前面はダクトパネル２７により覆われる。循環ダクト２２の上部の前方には冷蔵室３内を照明する照明装置４１を配した照明室３９が隣接して設けられる。
【００２２】
図４は図３の循環ダクト２２部分の詳細図を示している。また、図５は循環ダクト２２の背面図を示している。冷却器で生成した冷気が流通する冷蔵室ダクト１３は左右に分岐して上下方向に延びて形成され、循環ダクト２２は左右に分岐した冷蔵室ダクト１３間に配される。循環ダクト２２内の下部には軸流ファンから成る送風機２０が排気側を上方に向けて傾斜して配置される。
【００２３】
循環ダクト２２の前面及び上面には冷気の流出口２３、２４がそれぞれ開口する。尚、循環ダクト２２は送風機２０の吸気側の左右方向に延びた横通路２２ａ（図２参照）を有する。横通路２２ａは冷蔵室ダクト１３の背面側に隣接して配され、左右端に冷気の流入口２８（図２参照）が開口する。送風機２０の駆動によって冷蔵室３内の冷気が流入口２８から循環ダクト２２に流入し、上方に流通して流出口２３、２４を介して冷蔵室３内に送出される。これにより、冷蔵室３内の冷気を循環させることができる。
【００２４】
送風機２０の近傍の上方には流出口２３と送風機２０との間に向けてイオンを放出するイオン発生装置２１が配される。イオン発生装置２１は交流波形またはインパルス波形から成る電圧が印加される電極（不図示）が設けられる。電極の印加電圧が正電圧の場合はイオンが空気中の水分と結合して主としてＨ＋（Ｈ２Ｏ）ｍから成るプラスイオンを発生する。電極の印加電圧が負電圧の場合はイオンが空気中の水分と結合して主としてＯ２−（Ｈ２Ｏ）ｎから成るマイナスイオンを発生する。ここで、ｍ、ｎは任意の自然数である。Ｈ＋（Ｈ２Ｏ）ｍ及びＯ２−（Ｈ２Ｏ）ｎは空気中の浮遊菌や臭い成分の表面で凝集してこれらを取り囲む。
【００２５】
そして、式（１）〜（３）に示すように、衝突により活性種である［・ＯＨ］（水酸基ラジカル）やＨ２Ｏ２（過酸化水素）を微生物等の表面上で凝集生成して浮遊菌や臭い成分を破壊する。ここで、ｍ’、ｎ’は任意の自然数である。従って、プラスイオン及びマイナスイオンを発生して流出口２３、２４から吐出することにより室内の殺菌及び臭い除去を行うことができる。この時、循環ダクト２２内を冷蔵室３内の湿った冷気が流通するため、イオンと結合する水分を増加させてイオンの衝突による消滅を低減することができる。
【００２６】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ  ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ 2・ＯＨ＋Ｏ２＋(ｍ＋ｍ'＋ｎ＋ｎ')Ｈ２Ｏ ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ Ｈ２Ｏ２＋Ｏ２＋(ｍ＋ｍ'＋ｎ＋ｎ')Ｈ２Ｏ ・・・（３）
【００２７】
照明室３９は透光性を有した樹脂成形品から成るカバーにより前面が覆われる。照明室３９内に設置される照明装置４１は実装基板３６上にＬＥＤから成る光源４０を実装して形成される。照明室３９の背壁２６は循環ダクト２２の前面に配したダクトパネル２７により形成され、背壁２６には係合爪３８が設けられる。係合爪３８は背壁２６から前方に突出する腕部３８ａと腕部３８ａの先端から屈曲して突出する爪部３８ｂとを有し、実装基板３６を係止する。
【００２８】
照明室３９の背壁２６には循環ダクト２２と連通する複数の連通口２５が開口する。連通口２５の端縁は係合爪３８の腕部３８ａの爪部３８ｂを突設した端面に一致して形成される。これにより、ダクトパネル２７の成形加工時に前後方向に金型を抜いて係合爪３８及び連通口２５を容易に形成することができる。
【００２９】
ダクトパネル２７の背面側（循環ダクト２２側）には連通口２５の上方を覆う傘部３０が突設される。図６に示すように傘部３０は山型に形成され、連通口２５の外側に延びる第１傾斜面３１ａ及び第２傾斜面３１ｂを有している。
【００３０】
また、図５に示すように送風機２０が矢印Ｂ方向に回転し、循環ダクト２２の左側（図５において右側）の風量が右側（図５において左側）の風量よりも多くなっている。このため、連通口２５の左右方向の中心に対して左側（図５において右側）の風量が右側（図５において左側）の風量よりも多く、左に配した第１傾斜面３１ａが右に配した第２傾斜面３１ｂよりも長く形成される。
【００３１】
上記構成の冷蔵庫１において、送風機２０及びイオン発生装置２１が駆動されると、流入口２８を介して循環ダクト２２に流入する冷気にイオンが含まれる。イオンを含む冷気は送風方向Ｋが示すように流出口２３、２４から冷蔵室３内に流出し、冷蔵室３内が除菌される。
【００３２】
また、循環ダクト２２を上昇する冷気の一部は傘部３０によって連通口２５に導かれ、照明室３９内に流入する。照明室３９に流入した冷気によって照明装置４１の光源４０を冷却することができる。また、第１傾斜面３１ａが第２傾斜面３１ｂよりも長いため、より多くの冷気を照明室３９に導くことができる。
【００３３】
冷蔵室３の扉３ｂの開閉により冷蔵室３内に湿った外気が侵入した場合等に循環ダクト２２内に結露が発生する場合がある。この時、循環ダクト２２の壁面を流下する結露水は傘部３０によって照明室３９への侵入が防止され、第１、第２傾斜面３１ａ、３１ｂの先端から滴下する。従って、照明装置４１の光源４０及び実装基板３６の浸水を防止することができる。
【００３４】
本実施形態によると、循環ダクト２２の前面に配した照明室３９を連通する連通口２５を流出口２４の下方に設け、連通口２５の上方を覆う傘部３０を設けたので、流出口２４に向かって流通する冷気を連通口２５に導いて照明室３９内の光源４０を冷却することができる。また、循環ダクト２２内に発生する結露水の照明室３９内への流入を傘部３０によって防止することができる。従って、光源４０の昇温及び浸水を防止することができる。
【００３５】
また、傘部３０が連通口２５の外側に延びる第１、第２傾斜面３１ａ、３１ｂを有するので、結露水が第１、第２傾斜面３１ａ、３１ｂの先端から表面張力によって連通口２５に流入することを防止できるとともに、より多くの冷気を照明室３９に導くことができる。
【００３６】
また、連通口２５の左側の風量が右側よりも多く、左側に配した第１傾斜面３１ａを第２傾斜面３１ｂよりも長く形成したので、より多くの冷気を照明室３９に導くことができる。
【００３７】
また、連通口２５の端縁が係合爪３８の腕部３８ａの爪部３１ｂ側の端面に一致するので、連通口２５及び係合爪３８を容易に成形することができる。
【００３８】
本実施形態において、光源４０を照明投影において連通口２５と重なる位置に配置するとより望ましい。これにより、連通口２５を介して照明室３９に流入する冷気が光源４０の背面に接し易くなり、光源４０をより冷却することができる。
【産業上の利用可能性】
【００３９】
本発明によると、照明室を備えた冷蔵庫に利用することができる。
【符号の説明】
【００４０】
１      冷蔵庫
３      冷蔵室（貯蔵室）
４      冷凍室
５      野菜室
１０    収納ケース
２０    送風機
２１    イオン発生装置
２２    循環ダクト
２３    流出口
２４    流出口
２５    連通口
２６    背壁
２８    流入口
３０    傘部
３１ａ  第１傾斜面
３１ｂ  第２傾斜面
３６    実装基板
３７    カバー
３８    係合爪
３８ａ  爪部
３８ｂ  腕部
３９    照明室
４０    光源
４１    照明装置
Ｋ      送風方向
【図１】
0005715519.tif 000002
【図２】
0005715519.tif 000003
【図３】
0005715519.tif 000004
【図４】
0005715519.tif 000005
【図５】
0005715519.tif 000006
【図６】
0005715519.tif 000007